【手続補正書】
【提出日】平成17年4月15日(2005.4.15)
【手続補正１】
【補正対象書類名】明細書
【補正対象項目名】発明の名称
【補正方法】変更
【補正の内容】
【発明の名称】病院内受診管理システム
【手続補正２】
【補正対象書類名】明細書
【補正対象項目名】特許請求の範囲
【補正方法】変更
【補正の内容】
【特許請求の範囲】
【請求項１】
受診者毎に携行される携帯情報端末と無線による近傍通信を行なう基地局と、
病院内の諸診療部門等毎に設置され、前記基地局と共にネットワークに接続された診療情報装置と、
前記ネットワークに接続されて前記診療情報装置および前記基地局と情報を送受信するとともに、前記基地局を介して前記携帯情報端末と通信を行なうホスト装置とを具備し、前記ホスト装置は、複数の診療部門毎に受診申請の待ち行列を前記携帯情報端末に設定される端末番号で管理し、
診療時刻に変更が生じた場合、前記待ち行列から診療時刻の入替えが可能な端末番号を有する前記携帯情報端末との間で、前記待ち行列の更新処理を行い、前記診療時刻に変更が生じた携帯情報端末へ更新情報を通知することを特徴とする病院内受診管理システム。
【請求項２】
前記ホスト装置は、
前記変更処理は、前記待ち行列から診療時刻の入替えが可能な端末番号を捜し、当該端末番号を有する前記携帯情報端末へ確認通知を行い、その携帯情報端末からの応答に基づき前記待ち行列を更新することを特徴とする請求項１記載の病院内受診管理システム。
【請求項３】
前記近傍通信を行う手段は、無線ＬＡＮ又は、ブルートゥース（ＴＭ）であることを特徴とする請求項１記載の病院内受診管理システム。
【請求項４】
前記ホスト装置は、前記携帯情報端末に設定された端末番号毎に１つ又は複数の診療部門に対する診療、検査等の受診申請を記録し、
前記携帯情報端末に対して受診申請に対する診療部門における必要な待ち時間、待ち行列の人数を通知することを特徴とする請求項１記載の病院内受診管理システム。
【請求項５】
前記ホスト装置は、行方不明の受診者が携行している前記携帯情報端末が、どの前記基地局から通信可能であるかを調べることによってその存在位置を確認することを特徴とする請求項１記載の病院内受診管理システム。
【請求項６】
病院等の出入口に設置された前記基地局は、前記携帯情報端末が前記出入り口を通過した時これを検知して、警報を発することを特徴とする請求項１記載の病院内受診管理システム。
【請求項７】
受診者毎に複数の診療部門に対する受診申込みを受付る病院内受診管理システムにおいて、
複数の診療部門毎に受診申込みに係る待ち行列を有し、当該待ち行列に応じて前記診療部門毎の予想診療時刻を管理する管理手段と、
前記管理手段にて１つの診療部門に係る待ち行列の変更により前記受信者に係わる予想診療時刻に変更が生じた場合、当該変更に係る前記１つの診療部門の予想診療時刻と他の受診申込みに係る診療部門に係る予想診療時刻とを同時に案内表示する案内表示手段とを具備したことを特徴とする病院内受診管理システム。
【請求項８】
受診者毎に複数の診療部門に対する受診申込みを受付可能な病院内受診管理システムにおいて、
複数の診療部門毎に受診申込みに係る待ち行列を有し、当該待ち行列に応じて前記診療部門毎の予想診療時刻を管理する管理手段と、
前記管理手段にて１つの診療部門に係る待ち行列の変更により予想診療時刻に変更が生じた場合、受診申込みに係る複数の診療部門のうち前記変更された予想診療時刻に予想診療時刻が近い診療部門に関する案内表示をする案内表示手段とを具備したことを特徴とする病院内受診管理システム。
【請求項９】
受診者毎に複数の診療部門に対する受診申込みを受付可能な病院内受診管理システムにおいて、
複数の診療部門毎に受診申込みに係る待ち行列を有し、当該待ち行列に応じて前記診療部門毎の予想診療時刻を管理する管理手段と、
前記管理手段にて１つの診療部門に係る待ち行列の変更により予想診療時刻に変更が生じた場合、受診申込みに係る複数の診療部門のうち予想診療時刻が早い順に診療部門に関する案内表示をする案内表示手段とを具備したことを特徴とする病院内受診管理システム。
【請求項１０】
受診者毎に携帯可能で無線通信を行う携帯情報端末と、
前記携帯情報端末と無線通信を行う基地局とを有し、
前記案内表示手段は前記携帯情報端末に備えられ、
前記管理手段は、前記予想診療時刻に変更が生じた場合、前記基地局を介して前記携帯情報端末に前記変更の情報を通知することを特徴とする請求項８または、９に記載の病院内受診管理システム。
【手続補正３】
【補正対象書類名】明細書
【補正対象項目名】０００１
【補正方法】変更
【補正の内容】
【０００１】
【発明の属する技術分野】
本発明は、受診者の予約管理を行う病院内受診管理システムに関する。
【手続補正４】
【補正対象書類名】明細書
【補正対象項目名】０００７
【補正方法】変更
【補正の内容】
【０００７】
本発明は上記問題を解決するためになされたもので、複数の診療科や検査等の各診療部
門の診察・治療や検査等の順番を調整し、受診者の待ち時間を削減すると同時に病院の診
療効率を向上することが可能な病院内受診管理システムを提供することを目的とする。
【手続補正５】
【補正対象書類名】明細書
【補正対象項目名】０００８
【補正方法】変更
【補正の内容】
【０００８】
【課題を解決するための手段】
上記目的を達成するため本発明の病院内受診管理システムは、病院内の受診者毎に携行
され、無線による近傍通信機能を有する携帯情報端末と、前記携帯情報端末と前記無線に
よる近傍通信を行なう基地局と、病院内の諸診療部門等毎に設置され、前記基地局と共に
ネットワークに接続された診療情報装置と、前記ネットワークに接続されて前記診療情報
装置および前記基地局と情報を送受信するとともに、前記基地局を介して前記携帯情報端
末と通信を行なうホスト装置とを具備する病院内受診管理システムにおいて、前記ホスト
装置は、複数の診療部門毎に受診申請の待ち行列を前記携帯情報端末に設定される端末番
号で管理し、診療時刻に変更が生じた場合、前記待ち行列から診療時刻の入替えが可能な
端末番号を有する前記携帯情報端末との間で、前記待ち行列の更新処理を行い、前記診療
時刻に変更が生じた携帯情報端末へ更新情報を通知することを特徴とする。
【手続補正６】
【補正対象書類名】明細書
【補正対象項目名】００１０
【補正方法】変更
【補正の内容】
【００１０】
図１は、本発明の病院内受診管理システムの実施の形態を示すブロック図である。
【手続補正７】
【補正対象書類名】明細書
【補正対象項目名】００１１
【補正方法】変更
【補正の内容】
【００１１】
図１において、病院内受診管理システムは、ホスト装置１、複数のローカル診療情報装
置２、複数の基地局３、複数の携帯情報端末４、およびネットワーク５から構成されてい
る。
【手続補正８】
【補正対象書類名】明細書
【補正対象項目名】００１４
【補正方法】変更
【補正の内容】
【００１４】
そして、ホスト装置１は、これらの待ち行列の管理と受診案内を行うＷｅｂサーバとし
て動作し、ホスト装置１と各携帯情報端末４との間、およびホスト装置１とローカル診療
情報装置２との間で行われるメッセージの送受信および通信内容を監視、管理する機能も
有している。
【手続補正９】
【補正対象書類名】明細書
【補正対象項目名】００２６
【補正方法】変更
【補正の内容】
【００２６】
以下、受診の申込みから診療を受けるまでの病院内受診管理システムの動作手順を図１
〜図８を参照して説明する。
【手続補正１０】
【補正対象書類名】明細書
【補正対象項目名】００５３
【補正方法】変更
【補正の内容】
【００５３】
即ち、図５（ｂ）では、携帯情報端末４（＃１）の受診者に対し、超音波診断の診療が
追加され、その検査が超音波診断部門で、他の受診者よりも優先的に行なわれることを１
／３の様に記録することにより表している。
【手続補正１１】
【補正対象書類名】明細書
【補正対象項目名】図面の簡単な説明
【補正方法】変更
【補正の内容】
【図面の簡単な説明】
【図１】  本発明の病院内受診管理システムの構成を示すブロック図。
【図２】  ホスト装置が受診申請を受付けてから予約通知するまでの動作を示すフローチ
ャート。
【図３】  ホスト装置１が受診変更通知を受信した時の予約変更手順を示すフローチャー
ト。
【図４】  診療部門等毎の受診申込み者の待ち行列を示した図。
【図５】  各携帯情報端末４毎の受診申請とその人数待ち情報を示した図。
【図６】  携帯情報端末４の受診案内表示画面を説明する図。
【図７】  携帯情報端末４における受診予定の変更通知表示を説明する図。
【図８】  携携帯情報端末４における繰上げ診療の確認通知画面を説明する図。
【符号の説明】
１  ホスト装置
２  ローカルコンピュータ
３  基地局
４  携帯情報端末
５  ネットワーク